(57)【要約】【課題】  電話の呼び出しがあってユーザが番組視聴中にテレビから離れなければならなくなった場合に、戻ってきたときに中断した位置を簡単に呼び出してそこから番組視聴を容易に続けられるＡＶシステムを提供する。【解決手段】  ＶｏＩＰアダプタ１０と、映像コンテンツの記録および再生を行うＤＶＤ・ＨＤＤレコーダ４０とを備えたＡＶシステム１である。そして、ＤＶＤ・ＨＤＤレコーダ４０には、ＶｏＩＰアダプタ１０からのデータ受信が可能な通信手段と、映像コンテンツの再生箇所を表すタイムデータが計数されるタイムカウンタと、指定のタイムデータの箇所から映像コンテンツの再生を開始するタイムサーチ機能とが儲けられ、電話の着信時にＶｏＩＰアダプタ１０から出力される信号をレコーダ４０が受信したことに基づいて、タイムカウンタの値がメモリに格納され、この格納されたタイムカウンタの値に基づいてタイムサーチ機能により映像コンテンツの再生位置が変更可能にされる構成とした。【選択図】        図１
2006135532.tif 000002
【特許請求の範囲】
【請求項１】
コンピュータネットワークを介したデータ通信により発着信および通話を可能とするネットワーク電話装置と、映像コンテンツの記録および再生を行うＡＶ装置とを備えたＡＶシステムにおいて、
前記ＡＶ装置は、
前記ネットワーク電話装置からのデータ受信が可能な通信手段と、
映像コンテンツの再生箇所を表すタイムデータを計数或いは映像コンテンツのデータから抽出する計数手段と、
指定されたタイムデータにより示される再生箇所から映像コンテンツの再生を開始するタイマ再生手段と、
映像コンテンツを記録しながら再生位置を変更可能な状態で再生出力する追っかけ再生手段と、
装置の統括的な制御を行う制御手段とを備え、
前記制御手段は、
電話の着信時に前記ネットワーク電話装置から出力される信号を前記通信手段を介して受信したことに基づいて、映像コンテンツを再生していた場合に、前記計数手段から再生中の映像コンテンツのタイムデータを取得して記憶手段に格納する一方、記録していない映像コンテンツの出力を行っていた場合に、当該出力を続けながら前記映像コンテンツの記録を開始させるとともに、この記録中の映像コンテンツに付随する前記タイムデータを取得して前記記憶手段に格納するように構成され、
前記記憶手段に格納されたタイムデータに基づいて前記タイマ再生手段による映像コンテンツの再生位置を変更可能に構成されていることを特徴とするＡＶシステム。
【請求項２】
コンピュータネットワークを介したデータ通信により発着信および通話を可能とするネットワーク電話装置と、映像コンテンツの記録および再生を行うＡＶ装置とを備えたＡＶシステムにおいて、
前記ＡＶ装置は、
前記ネットワーク電話装置からのデータ受信が可能な通信手段と、
映像コンテンツの再生箇所を表すタイムデータを計数或いは映像コンテンツのデータから抽出する計数手段と、
指定されたタイムデータにより指し示される再生箇所から映像コンテンツの再生を開始するタイマ再生手段と、
装置の統括的な制御を行う制御手段とを備え、
前記制御手段は、電話の着信時に前記ネットワーク電話装置から出力される信号を前記通信手段を介して受信したことに基づいて、前記計数手段から再生中の映像コンテンツのタイムデータを取得して記憶手段に格納するように構成され、
前記記憶手段に格納されたタイムデータに基づいて前記タイマ再生手段による映像コンテンツの再生位置を変更可能に構成されていることを特徴とするＡＶシステム。
【請求項３】
前記記憶手段は、映像コンテンツのデータが記録される記録媒体とは別の記憶手段であることを特徴とする請求項２記載のＡＶシステム。
【請求項４】
映像コンテンツを記録しながら再生位置を変更可能な状態で再生出力する追っかけ再生手段を備え、
前記制御手段は、電話の着信時に前記ネットワーク電話装置から出力される信号を前記通信手段を介して受信したことに基づいて、記録していない映像コンテンツの出力を行っていた場合に、当該出力を続けながら前記映像コンテンツの記録を開始させるとともに、この記録中の映像コンテンツに付随する前記タイムデータを取得して前記記憶手段に格納するように構成されていることを特徴とする請求項２又は３に記載のＡＶシステム。
【請求項５】
映像コンテンツの記録および再生を行うＡＶ装置であって、ネットワークを介して外部機器とデータ通信が可能な通信手段と、映像コンテンツの再生箇所を表すタイムデータを計数或いは映像コンテンツのデータから抽出する計数手段と、指定されたタイムデータにより指し示される再生箇所から映像コンテンツの再生を開始するタイマ再生手段と、映像コンテンツを記録しながら再生位置を変更可能な状態で再生出力する追っかけ再生手段と、装置の統括的な制御を行う制御手段とを備え、
前記制御手段は、前記通信手段を介して電話の着信を示す信号を受信したことに基づいて、映像コンテンツを再生していた場合に、前記計数手段から再生中の映像コンテンツのタイムデータを取得して記憶手段に格納する一方、記録していない映像コンテンツの出力を行っていた場合に、当該出力を続けながら前記映像コンテンツの記録を開始させるとともに、この記録中の映像コンテンツに付随する前記タイムデータを取得して前記記憶手段に格納するように構成され、
これら記憶手段に格納されたタイムデータに基づいて前記タイマ再生手段により映像コンテンツの再生位置が変更可能に構成されていることを特徴とするＡＶ装置。
【発明の詳細な説明】
【技術分野】
【０００１】
この発明は、ＶｏＩＰ（Voice over Internet Protocol）のようなネットワーク電話装置とＡＶ装置とが接続されてなるＡＶシステム、並びに、ＬＡＮ等のネットワークに接続可能なＡＶ装置に関する。
【背景技術】
【０００２】
以前より、ＨＤＤ（ハードディスク）レコーダやＤＶＤレコーダ等において、映像コンテンツの任意の再生位置にブックマークを設定してそのブックマークの位置から再生開始をすぐに行えるようにしたブックマーク機能や、予め映像コンテンツに設定された複数のチャプターの中から選択的に再生を開始できるようにしたチャプター機能など、幾つかの再生支援機能がある。
【０００３】
また、放送中の映像コンテンツを記録しながら出力することで、放送中の映像コンテンツを一時停止や巻き戻しなど再生箇所を変更することの可能な追っかけ再生機能も一般的である。
【０００４】
その他、従来の技術として、映像コンテンツの視聴を中断し、しばらく経ってから再びこの映像コンテンツを再生したときに、前回の中断位置から再生が自動的に開始されるようにした技術（例えば特許文献１，特許文献２）や、中断後の経過時間に応じて前回の中断位置から再生を開始したり先頭から再生を開始するようにした技術（例えば特許文献３）が提案されている。
【特許文献１】特開２００３−７７２２２号公報
【特許文献２】特開２００３−４５１２２号公報
【特許文献３】特開２００３−２２６６２号公報
【発明の開示】
【発明が解決しようとする課題】
【０００５】
ところで、映像コンテンツの視聴中に電話が鳴ってユーザが電話に出なければななくなった場合、電話から戻ったときにその前の箇所に戻して視聴を続けたいという要求が生じる。このような場合、視聴中の映像コンテンツが録画されているものであれば、ユーザは席を立つ前の箇所まで再生位置を戻して再生を続けることになる。
【０００６】
しかしながら、ユーザが再生位置を所望のところまで戻す操作は、時間でも分かっていれば比較的簡単ではあるが、どこまで見たのか記憶を頼って探す場合には煩わしい作業である。特に、先のストーリー展開を知りたくないような映像コンテンツの場合にはもっと煩わしくなる。
【０００７】
一方、ブックマーク機能など従来の再生支援機能を利用して、上記のような煩雑さを回避することも出来るが、そのためには、電話の着信があった時にユーザが手動でブックマーク設定を行ったり、或いは、再生を停止させるなどの操作を手動で行わなければならない。
【０００８】
しかしながら、電話の着信があった場合には、ユーザはブックマークの設定を行う余裕がなかったり、或いは、そのような操作を忘れてしまうことが通常であり、そのような再生支援機能を有効に活用できることは稀であるというのが実情である。
【０００９】
この発明は、電話の呼び出しがあってユーザが番組視聴中にテレビから離れなければならなくなった場合に、戻ってきたときに中断した位置を簡単に呼び出してそこから番組視聴を容易に続けられるＡＶシステムおよびＡＶ装置を提供することにある。
【課題を解決するための手段】
【００１０】
本発明は、上記目的を達成するため、コンピュータネットワークを介したデータ通信により発着信および通話を可能とするネットワーク電話装置と、映像コンテンツの記録および再生を行うＡＶ装置とを備えたＡＶシステムにおいて、前記ＡＶ装置は、前記ネットワーク電話装置からのデータ受信が可能な通信手段と、映像コンテンツの再生箇所を表すタイムデータを計数或いは映像コンテンツのデータから抽出する計数手段と、指定されたタイムデータにより指し示される再生箇所から映像コンテンツの再生を開始するタイマ再生手段と、装置の統括的な制御を行う制御手段とを備え、前記制御手段は、電話の着信時に前記ネットワーク電話装置から出力される信号を前記通信手段を介して受信したことに基づいて、前記計数手段から再生中の映像コンテンツのタイムデータを取得して記憶手段に格納するように構成され、前記記憶手段に格納されたタイムデータに基づいて前記タイマ再生手段による映像コンテンツの再生位置が変更可能に構成されている。
【００１１】
このような手段によれば、映像コンテンツの視聴中に電話の着信があった場合に、映像コンテンツの着信時のタイムデータが記録手段に格納されて、タイマ再生手段によりその時点に再生箇所を戻すことが可能となるので、電話から戻ってきた後に、タイマ再生手段により再生箇所を電話着信時まで簡単に戻して、その箇所からすぐに視聴を続けることができる。
【００１２】
また、電話の着信はデータ通信によりＡＶ装置に通知されるため、例えば、電話の着信音を検出する方式などに比べて、電話の着信を確実に識別できて間違いがない。
【００１３】
また、電話着信時には自動的にタイムデータが保存されて映像コンテンツの出力が停止したりしないので、他の人が電話を受ける場合など、視聴しているユーザと電話の着信とが無関係な場合には、なんらその視聴に影響を与えることがなく、通常の視聴の邪魔となることがない。
【００１４】
望ましくは、前記記憶手段は、映像コンテンツのデータが記録される記録媒体とは別の記憶手段とすると良い。このような構成により、映像コンテンツのデータを記録する記録媒体に余計な容量を占有することがない。
【００１５】
また望ましくは、映像コンテンツを記録しながら再生位置を変更可能な状態で再生出力する追っかけ再生手段を備え、前記制御手段は、電話の着信時に前記ネットワーク電話装置から出力される信号を前記通信手段を介して受信したことに基づいて、記録していない映像コンテンツの出力を行っていた場合に、当該出力を続けながら前記映像コンテンツの記録を開始させるとともに、この記録中の映像コンテンツに付随する前記タイムデータを取得して前記記憶手段に格納するように構成すると良い。
【００１６】
このような手段によれば、現在放送中の映像コンテンツを録画せずに視聴している場合であっても、電話着信により映像コンテンツの記録が開始され、その電話着信時のタイムデータが記憶されるので、電話から戻ってきたときに、映像コンテンツの出力を電話着信時の箇所に簡単に戻してその箇所から視聴を続けることが出来る。
【００１７】
また、上記の課題を解決するため、本発明のＡＶ装置は、映像コンテンツの記録および再生を行うＡＶ装置であって、ネットワークを介して外部機器とデータ通信が可能な通信手段と、映像コンテンツの再生箇所を表すタイムデータを計数或いは映像コンテンツのデータから抽出する計数手段と、指定されたタイムデータにより指し示される再生箇所から映像コンテンツの再生を開始するタイマ再生手段と、映像コンテンツを記録しながら再生位置を変更可能な状態で再生出力する追っかけ再生手段と、装置の統括的な制御を行う制御手段とを備え、前記制御手段は、前記通信手段を介して電話の着信を示す信号を受信したことに基づいて、映像コンテンツを再生していた場合に、前記計数手段から再生中の映像コンテンツのタイムデータを取得して記憶手段に格納する一方、記録していない映像コンテンツの出力を行っていた場合に、当該出力を続けながら前記映像コンテンツの記録を開始させるとともに、この記録中の映像コンテンツに付随する前記タイムデータを取得して前記記憶手段に格納するように構成され、これら記憶手段に格納されたタイムデータに基づいて前記タイマ再生手段による映像コンテンツの再生位置が変更可能な構成とした。
【００１８】
このような手段によれば、ネットワーク電話装置からデータ送信可能なようにネットワーク接続させておくことで、電話着信時に自動的にタイムデータを記憶させて、それにより、映像コンテンツの出力位置を簡単に電話着信時まで戻して、その箇所から容易に視聴を続けることが出来るようになる。
【発明の効果】
【００１９】
以上説明したように、本発明に従うと、映像コンテンツの視聴中に電話の着信があってユーザが一旦席を離れなければならないような場合であっても、タイムデータが自動的に保存されて、ユーザが戻ってきてからそのタイムデータの箇所まで再生位置を簡単に戻して、そこから視聴を続けることが出来るという効果がある。
【００２０】
また、他の人が電話を受ける場合など、視聴しているユーザと電話着信とが無関係な場合には、電話の着信により映像コンテンツの出力が停止されたりせず、通常の番組視聴の妨げとならないという効果がある。
【発明を実施するための最良の形態】
【００２１】
以下、本発明の実施の形態を図面に基づいて説明する。
【００２２】
図１には、本発明の実施の形態のＡＶシステムのシステム構成図の一例を示す。
【００２３】
この実施の形態のＡＶシステム１は、インターネットに接続するモデム機能、ＬＡＮ（ローカルエリアネットワーク）とインターネット間の通信を中継するルータ機能、並びに、インターネットを介して電話着信と通話を可能とするインターネット電話機能とを有したＶｏＩＰアダプタ１０と、一般的な電話器１２と、ウェブブラウジング等を行うパーソナルコンピュータ３０と、ＬＡＮを介してインターネット接続可能なＡＶ装置としてのＤＶＤ・ＨＤＤレコーダ４０等から構成される。
【００２４】
ＶｏＩＰアダプタ１０は、モジュラージャック１１を介してインターネットに接続するとともに、ＬＡＮポートＴ１を介してＬＡＮ側とインターネット側との間でデータの送受信を中継を行う。また、電話ポートＴ２に電話器１２が接続されて、公衆回線からの電話の着信信号や通話信号をモジュラージャック１１から電話器１２に転送するとともに、インターネットを介して転送されてきた電話の着信データや通話データをアナログ信号に変換して電話器１２に転送するようになっている。
【００２５】
また、この実施の形態のＶｏＩＰアダプタ１０は、インターネットを介した電話着信のデータが送られてきたときに、ＬＡＮポートＴ１から電話の着信を示すデータをブロードキャストするように構成されている。また、公衆回線からの電話の着信信号があったときにも、同様に電話の着信を示すデータをＬＡＮポートＴ１からブロードキャストするように構成されている。
【００２６】
パーソナルコンピュータ３０やＤＶＤ・ＨＤＤレコーダ４０は、ＬＡＮケーブルを集中接続するハブ２０を介して接続されてＬＡＮを構成するとともに、ＶｏＩＰアダプタ１０のＬＡＮポートＴ１に接続されて、インターネット間でデータ通信が可能にされている。
【００２７】
ＤＶＤ・ＨＤＤレコーダ４０のＬＡＮポートは、ＶｏＩＰアダプタ１０からブロードキャストされた電話の着信データを受信する他、例えば、インターネットを介してファームウェアのバージョンアップデータをダウンロードしたり、番組表データをダウンロードしたり、或いは、インターネットを介した電子メールを使って番組録画の設定を行ったりするのに使われる。
【００２８】
図２は、ＤＶＤ・ＨＤＤレコーダ４０の内部構成を示すブロック図である。
【００２９】
ＤＶＤ・ＨＤＤレコーダ４０は、テレビ放送を受信して映像コンテンツをケーブル接続された外付けのテレビモニタに出力したり、ＤＶＤ（デジタル多用途ディスク）やＨＤＤ（ハードディスク）に録画したり、録画した映像コンテンツを再生してテレビモニタに出力したりする装置である。
【００３０】
このＤＶＤ・ＨＤＤレコーダ４０には、録画再生時の操作や各種の設定操作を行う操作スイッチ４０１と、各種の操作キーを有するリモートコントローラ（リモコン）４０２と、リモコン４０２の送信信号を受信するリモコン受光部４０３と、記録や書換え可能なＤＶＤを搭載して映像コンテンツの記録や再生を行うＤＶＤドライブ４０４と、映像コンテンツや各種データの読書きが可能なハードディスク４０５と、実時間をカウントするタイマ４０６と、ＬＡＮに接続するＬＡＮアダプタ４０７と、装置の動作状態等を表示する小型の表示部４０８と、アンテナＮから受信した放送電波を映像信号と音声信号に選択的に復調するチューナ４０９と、チューナ４０９からの映像音声信号又は外部入力された映像音声信号をデジタル信号に変換するＡ／Ｄ変換器４１０と、デジタルの映像データや音声データを圧縮する圧縮処理部４１１ａやそれを伸張する伸張処理部４１１ｂを有する副制御部４１１と、伸張された映像データと音声データ或いはＡ／Ｄ変換器４１０から直接送られた映像データと音声データをアナログ信号に変換してテレビモニタに出力するＤ／Ａ変換器４１２と、ＣＰＵ（Central Processing Unit）４２１、ＣＰＵ４２１に作業空間を提供するＲＡＭ（Random Access Memory）４２２およびＣＰＵ４２１が実行する制御プログラムや制御データが格納されたＲＯＭ（Read Only Memory）４３３を有し装置全体の制御を行う主制御部４２０等が設けられている。
【００３１】
図３には、映像コンテンツのストリーミングデータのデータ構造を示すデータチャートを示す。
【００３２】
圧縮処理部４１１ａや伸張処理部４１１ｂは、デジタルの映像データを例えばＭＰＥＧ２（Motion Picture Experts Group 2）の形式で圧縮したり伸張したりするものである。この圧縮データは、連続する複数の画像データが１組のＧＯＰ（Group of Picture）とされ、これらＧＯＰが複数連なって１つの映像ストリームデータとされる。このような映像ストリームデータには映像の時間位置を示すタイムコードＴがＧＯＰごとに付加され、このタイムコードを読み出すことで再生位置の時間を認識したり、指定のタイムコードを検索することで、所定の時間位置からの再生を行うことが可能になっている。主制御部４２０と副制御部４１１によるこのようなタイムコードの検索処理がタイマ再生手段を構成している。
【００３３】
タイムコードの初期値（先頭ＧＯＰのタイムコードの値）は、任意に値に設定することが出来るが、この実施の形態では一般的なものと同様に「00:00:00」とされる。すなわち、記録（録画）が開始された時点でストリームデータに「00:00:00」のタイムコードが付加され、その後、実時間と同期進行するタイムコードがストリームデータに付加されていく。
【００３４】
図４には、追っかけ再生時における映像コンテンツのタイムコードを説明するタイムチャートを示す。
【００３５】
ＤＶＤ・ＨＤＤレコーダ４０は、映像コンテンツの記録および再生を、それぞれ独立的に並行して行うことが可能にされている。つまり、これにより現在放送中の映像コンテンツを記録しながら再生出力する機能（追っかけ再生手段）が実現される。このよにう、映像コンテンツの記録と再生を独立的に行うため、副制御部４１１には、記録時のタイムコードを生成するために時間を計数する記録用のタイムカウンタと、再生時にタイムコードを読み出して計数する再生用のタイムカウンタ（計数手段）とが、例えば主制御部のソフトウェアとして、それぞれ設けられている。
【００３６】
例えば、図４に示すように、１つの放送番組について、その放送開始から１０分後に追っかけ再生の録画を開始するとともに、一旦５分出力を停止してから追っかけ再生を開始した場合を説明する。この場合、記録は番組開始から１０分後に開始されているので、記録用タイムカウンタの計数値は、番組開始１０分の箇所で「00:00:00」となり、その後、実時間の流れに沿って２０分の箇所で「00:10:00」、３０分の箇所で「00:20:00」となる。そして、この記録用タイムカウンタの計数値がタイムコードとして録画された映像コンテンツのストリーミングデータに付加されていく。
【００３７】
再生用タイムカウンタの値は、ストリーミングデータから抽出されたタイムコードの値とされるので、再生開始時すなわち番組開始から１５分の箇所で「00:00:00」となり、２５分の箇所で「00:10:00」となる。途中、再生を一時停止したり、進めたり戻したりした場合、それに応じて再生カウンタの値も停止されたり進んだり戻ったりする。なお、ストリーミングデータに正しいタイムコードが付加されていない場合には、再生開始からの実時間をタイマ４０６に基づき再生用タイムカウンタで計数するようにされる。
【００３８】
また、この実施の形態のＤＶＤ・ＨＤＤレコーダ４０は、ＲＯＭ４３３に格納された制御プログラムにより電話着信時に次のような処理を行って、ユーザが電話から戻ってきたときに中断箇所から番組の視聴が簡単に続けられるようになっている。
【００３９】
図５には、ＤＶＤ・ＨＤＤレコーダ４０のＣＰＵ４２１により実行される電話着信時処理のフローチャートを示す。
【００４０】
この電話着信時処理は、ＶｏＩＰアダプタ１０から電話着信時にＬＡＮ側にブロードキャストされる着信データをＤＶＤ・ＨＤＤレコーダ４０が受信したことに基づき、ＤＶＤ・ＨＤＤレコーダ４０のＣＰＵ４２１により開始される処理である。すなわち、この着信データがＬＡＮアダプタ４０７を介して受信され、主制御部４２０がそれが認識するとこの処理が開始される。
【００４１】
この処理が開始されると、先ず、ステップＳ１において、ＣＰＵ４２１は機器（ＤＶＤ・ＨＤＤレコーダ４０）の電源状態を確認する。その結果、スタンバイ状態にあればそのままこの着信時処理を終了するが、オン状態であればステップＳ２に移行する。
【００４２】
ステップＳ２では、機器の動作状態を確認し、停止状態であればそのままこの着信時処理を終了するが、停止状態でなければステップＳ３に移行する。
【００４３】
ステップＳ３では、機器の動作が記録又は再生中か確認し、ＮＯであればそのままこの着信時処理を終了するが、記録又は再生中であればステップＳ４に移行して、該ステップにおいて、再生用タイムカウンタの値をメモリ４２２の所定領域に格納する。例えば、図４に示すように、番組開始から２５分のときに電話の着信があった場合には、そのときの再生位置を示す「00:10:00」の値がメモリ４２２に格納される。そして、この電話着信時処理を終了する。
【００４４】
ここで、タイムカウンタの値が格納されるメモリ４２２の領域は、タイムサーチ機能で検索を行うタイムコードが登録されるアドレスであり、それにより、この電話着信時処理の後にユーザがタイムサーチを実行することで、先の電話着信時の再生箇所に簡単に戻すことが可能とされる。
【００４５】
図６には、タイムサーチで元の再生箇所に戻すときの表示画面の一例を示す。
【００４６】
タイムサーチの操作方法は、特に制限されるものでなく、種々の方法を適用することが出来る。例えば、図６に示すように、リモコンのメニュー操作からタイムサーチの項目を選択することで、画面Ｇ上にタイムサーチに登録されているタイムコードＴＣ…を表示させ、その何れかをユーザが選択して実行するなどである。
【００４７】
その他、電話着信によりタイムサーチを可能とするタイムコードが登録された場合に、画面の下隅にアイコンを表示させて、それをリモコン等で選択することで、タイムサーチが実行されたり、或いは、電話着信によりタイムサーチを可能とするタイムコードが登録された場合に、戻るボタンを押したり、チャプターの戻るボタンを押すことで、登録されているタイムコードのところまで映像が戻されてそこから自動的に再生が開始さりるように構成しても良い。或いは、タイムサーチ専用のボタンをリモコンに用意して、それを押したときにタイムサーチが実行されるようにしても良い。
【００４８】
上記メモリ４２２に保存されたタイムコードは、別の映像コンテンツの再生が開始されるとき、或いは、電源がオフされたときに消去される。
【００４９】
図７には、ＤＶＤ・ＨＤＤレコーダのＣＰＵにより実行される電話着信時処理のフローチャートの第２の例を示す。
【００５０】
この電話着信時処理の第２例は、映像コンテンツを記録しているときや記録済みの映像コンテンツを再生しているときだけではなく、現在放送中の映像コンテンツを記録や追っかけ再生を行わずに視聴していたときにも、電話着信時にタイムコードを保存してタイムサーチを可能としたものである。
【００５１】
この第２の電話着信時処理において、ステップＳ１１〜Ｓ１３とステップＳ１６は、図３のステップＳ１〜Ｓ４と同じ処理であり説明は省略する。
【００５２】
この処理では、ステップＳ１３の確認処理で、記録又は再生中でないと判別された場合に、ステップＳ１４に移行して現在放送中の映像コンテンツをダイレクト出力しているか否かを確認する。ダイレクト出力とは、ハードディスク４０５への記録や再生を行わずに、Ａ／Ｄ変換器４１０からＤ／Ａ変換器４１２へ映像データと音声データとをダイレクトに転送して映像出力を行う出力形式のことである。
【００５３】
そして、このステップＳ１４の判別の結果、ダイレクト出力でなければこのまま着信時処理を終了するが、ダイレクト出力であればステップＳ１５に移行して、映像出力を続けれたまま記録を開始する。なお、ここでの記録は、ユーザ操作により映像出力が停止・終了されたときに、ハードディスク４０５から消去される記録形式であってもよいし、或いは、ハードディスク４０５に残される記録形式であってもよい。また、一定時間（１５分や３０分など）の記録を行った後に頭の方から順次削除されていく記録方式としても良い。
【００５４】
そして、ステップＳ１５で記録を開始したら、ステップＳ１６に移行してタイムコードをメモリ４２２へ格納して電話着信時処理を終了する。
【００５５】
以上のように、この実施の形態のＡＶシステム１およびＤＶＤ・ＨＤＤレコーダ４０によれば、電話の着信があったときに、視聴中の映像コンテンツのタイムコードがメモリ４２２に格納され、タイムサーチによりその再生箇所へすぐ戻せるようにされるので、ユーザは電話から戻ってきたときに、視聴していた映像コンテンツの中断箇所に簡単に戻してその箇所から視聴を続けることが出来る。
【００５６】
このとき、電話の着信はＬＡＮを介して着信データが転送されて知らされるので、例えば、電話の着信音をアナログ的に検出する方式などに比べて、電話の着信を確実に識別できて間違いがない。
【００５７】
また、電話着信時にはタイムコードが自動的に格納されるだけであり、映像コンテンツの出力はそのまま続けられるので、他の人が電話を受ける場合など、視聴しているユーザが電話の着信と無関係な場合に、映像コンテンツの視聴の邪魔とならずに都合が良い。
【００５８】
また、タイムコードはメモリ４２２に格納されるので、映像コンテンツのストリーミングデータが記録する記録媒体に余計な容量を占有することがない。
【００５９】
また、現在放送中の映像コンテンツを記録せずに出力していた場合にも、電話の着信により記録を開始して、同様にタイムコードが記憶されてタイムサーチが可能にされるので、電話から戻ってきたときに中断箇所から簡単に視聴を続けることが出来る。
【００６０】
なお、本発明は、上記実施の形態に限られるものではなく、様々な変更が可能である。例えば、ネットワーク電話装置としてモデム機能やルータ機能を備えたＶｏＩＰアダプタを挙げたが、ルータ機能やモデム機能を持たずにネットワークを介したデータ通信により電話着信や通話を行わせる機能のみを備えたものとしても良い。
【００６１】
また、ＡＶ機器としてＤＶＤ・ＨＤＤレコーダを例示したが、ＤＶＤドライブを持たないＨＤＤレコーダや、その他、ＨＤＤレコーダと同様の機能を実現可能なＡＶ機器であれば、種々のＡＶ機器を適用することが出来る。
【図面の簡単な説明】
【００６２】
【図１】本発明の実施の形態のシステム構成の一例を示すブロック図である。
【図２】図１のＤＶＤ・ＨＤＤレコーダの内部構成を示すブロック図である。
【図３】映像コンテンツのストリーミングデータのデータ構造を示すデータチャートを示す。
【図４】追っかけ再生時における映像コンテンツのタイムコードを説明するタイムチャートである。
【図５】ＤＶＤ・ＨＤＤレコーダのＣＰＵにより実行される電話着信時処理の処理手順を示すフローチャートである。
【図６】電話着信後にタイムサーチで元の再生箇所に戻すときの表示画面の一例を示す画像図である。
【図７】ＤＶＤ・ＨＤＤレコーダのＣＰＵにより実行される電話着信時処理の第２の例を示すフローチャートである。
【符号の説明】
【００６３】
１        ＡＶシステム
１０      ＶｏＩＰアダプタ（ネットワーク電話装置）
１１      モジュラージャック
１２      電話
４０      ＤＶＤ・ＨＤＤレコーダ（ＡＶ装置）
４０４    ＤＶＤドライブ
４０５    ハードディスク
４０７    ＬＡＮアダプタ
４０９    チューナ
４１１    副制御部
４１１ａ  圧縮処理部
４１１ｂ  伸張処理部
４２０    主制御部
４２１    ＣＰＵ
【図１】
2006135532.tif 000003
【図２】
2006135532.tif 000004
【図３】
2006135532.tif 000005
【図４】
2006135532.tif 000006
【図５】
2006135532.tif 000007
【図６】
2006135532.tif 000008
【図７】
2006135532.tif 000009